(57)【要約】【課題】従来の技術では、プリズムと被測定部位との密着性、測定位置再現性が難しく、測定データにバラツキが生じやすい。【解決手段】測定部位に当接する情報検出用接触子５により光を照射するとともにこの測定部位からの透過光もしくは反射光もしくは散乱光もしくは透過反射光を検出し、測定部位中の特定成分を非侵襲的に測定する際、測定部位である生体口唇部の口唇粘膜を露出させるための露出手段８ａを利用する。また、その露出手段８ａにプリズム５が取り付けられている。【選択図】  図１
2004205484.tif 000002
【特許請求の範囲】
【請求項１】
被検体の測定部位に当接する当接面を有する第１の当接手段と、
前記当接面が前記測定部位上を移動しないよう固定する固定手段とを備え、
前記当接面は、光を前記測定部位へ出射する出射領域と、前記出射領域から出射された光に基づく前記測定部位からの透過光、反射光、散乱光または透過反射光の全部または一部を入射する入射領域とを有する生体情報検出用接触装置。
【請求項２】
前記測定部位が前記当接面と当接できるように、前記被検体の少なくとも一部を変形させる変形手段を備えた請求項１に記載の生体情報検出用接触装置。
【請求項３】
前記被検体は生体の口唇部であり、前記測定部位は前記口唇部の口唇粘膜であって、
前記変形手段は、前記口唇粘膜を外部へ露出させるように前記口唇部を変形する請求項２に記載の生体情報検出用接触装置。
【請求項４】
前記変形手段は、前記生体の口腔内で保持され、歯外で歯肉から下唇小帯に向かう押し開き手段を有する請求項３に記載の生体情報検出用接触装置。
【請求項５】
前記固定手段は、前記生体の口腔内で上下歯によって咬合される装着部を備え、
前記第１の当接手段は歯列外に配置され、前記装着部が前記上下歯によって咬合されることによって、前記当接面が前記口唇粘膜に密着させられる請求項２に記載の生体情報検出用接触装置。
【請求項６】
前記変形手段は、少なくとも１箇所で前記口唇部を挟持する挟持手段を有する請求項３に記載の生体情報検出用接触装置。
【請求項７】
前記挟持手段は、おとがい唇溝またはおとがい唇溝より下部を支点として回動するよう構成された請求項６に記載の生体情報検出用接触装置。
【請求項８】
前記固定手段は、前記第１の当接手段を保持し、前記挟持手段が回動したときそれに連動して移動し、前記当接面を前記口唇部に当接させる保持手段を有する請求項７に記載の生体情報検出用接触装置。
【請求項９】
前記被検体は生体であり、
前記固定手段は前記生体の歯列、顎、または頭部の少なくとも一つで支持されることにより前記固定を行う請求項１に記載の生体情報検出用接触装置。
【請求項１０】
前記測定部位を挟んで前記第１の当接手段と対向し、前記被検体の前記測定部位とは異なる部位に当接する第２の当接手段をさらに備え、
前記固定手段は、前記第１の当接手段と前記第２の当接手段との間を一定の距離に保つよう固定する請求項１に記載の生体情報検出用接触装置。
【請求項１１】
前記距離固定手段は、前記一定の距離を互いに異なる複数の大きさに設定可能な請求項１０に記載の生体情報検出用接触装置。
【請求項１２】
前記当接面の面積は、前記第２の当接手段が当接する部分の面積より小さい請求項１０に記載の生体情報検出用接触装置。
【請求項１３】
前記第２の当接手段は、実質上凸型の形状を有する請求項１０に記載の生体情報検出用接触装置。
【請求項１４】
前記凸型は、丸みを有したものである請求項１３に記載の生体情報検出用接触装置。
【請求項１５】
前記第１の当接手段および／または前記第２の当接手段による前記測定部位への印圧を測定する印圧測定手段を備えた請求項１０に記載の生体情報検出用接触装置。
【請求項１６】
前記距離固定手段は、前記測定された印圧に基づき、前記一定の距離を変更する請求項１５に記載の生体情報検出用接触装置。
【請求項１７】
請求項１から１６のいずれかに記載の生体情報検出用接触装置と、
前記当接面の前記出射領域へ光を送る光源と、
前記当接面の前記入射領域からの光を受光する受光手段と、
前記受光手段の受光結果を演算し、前記測定部位に関する情報を取得する演算手段とを備えた生体情報測定装置。
【請求項１８】
前記変形手段により変形した箇所を確認する確認手段をさらに備えた請求項１７に記載の生体情報測定装置。
【請求項１９】
前記確認手段は、接触センサーによる接触確認である請求項１８に記載の生体情報測定装置。
【請求項２０】
前記接触確認が、前記押し開き手段の端部を利用している請求項１８に記載の生体情報測定装置。
【請求項２１】
前記光源からの光を分光する分光手段と、
前記分光手段からの光を前記出射領域へ導く導光手段と、
前記光源、前記分光手段、前記導光手段、前記受光手段および前記生体情報検出用接触装置とを一体的に保持する保持体とを備えた請求項１７に記載の生体情報測定装置。
【請求項２２】
前記導光手段は鏡を利用した手段である請求項２１に記載の生体情報測定装置。
【請求項２３】
前記保持体には位置規制部材が取り付けられており、この位置規制部材を利用して、前記情報検出用接触装置の位置が規制される請求項２２に記載の生体情報測定装置。
【請求項２４】
光を被検体の測定部位へ出射する出射領域と、前記出射領域から出射された光に基づく前記測定部位からの透過光、反射光、散乱光または透過反射光の全部または一部を入射する入射領域とを有する当接面を、前記測定部位に当接する工程と、
前記当接面が前記測定部位上を移動しないよう固定する工程とを備え、
前記入射領域から得られた光に基づき、前記測定部位中の特定成分を非侵襲的に測定する生体情報測定方法。
【請求項２５】
前記測定部位が前記当接面と当接できるように、前記被検体の少なくとも一部を変形させる工程をさらに備えた請求項２４に記載の生体情報検出方法。
【請求項２６】
測定部位に当接する情報検出用接触子により光を照射するとともにこの測定部位からの透過光もしくは反射光もしくは散乱光もしくは透過反射光を検出し、測定部位中の特定成分を非侵襲的に測定する生体情報測定方法であって、
測定部位である生体口唇部の口唇粘膜を露出させたあと、この口唇粘膜に前記情報検出用接触子を密着させる生体情報測定方法。
【請求項２７】
前記口唇粘膜の露出を、口唇前面に当接させた接触部材を顎方向へ移動させることによって行う請求項２６に記載の生体情報測定方法。
【発明の詳細な説明】
【０００１】
【発明の属する技術分野】
本発明は、生体の血糖値、コレステロール等の生体情報を透過光もしくは反射光もしくは散乱光もしくは透過反射光により非侵襲的に測定する生体情報検出用接触装置等に関するものである。
【０００２】
【従来の技術】
平成９年の厚生省「糖尿病実態調査」によると、糖尿病が強く疑われる人が６９０万人、これに糖尿病の可能性を否定できない人を合わせると１３７０万人というデータが公開されている。
【０００３】
糖尿病は自覚症状がないことが多く、強く疑われる人のうち現在糖尿病の治療を受けている人は４５％である。糖尿病は合併症による死亡が多くこわい病気であるのに初期は血糖値が高いだけで自覚症状がでないため、深刻な病気であるということがあまり理解されていないのが現状である。このため生活習慣を見直せば切り抜けられる段階を逃してしまい重症となってしまうことが糖尿病の最大の問題といわれている。
【０００４】
糖尿病の重症患者は操作の簡単な採血型血糖測定器を患者個人で所有し、自分で血を採取して血糖値を測定する方法をとっているが、糖尿病の可能性を否定できない程度の自覚症状のない人や糖尿病の可能性のない健康人にとって血糖値に対する関心は薄く、またたとえ血糖値に関心はあっても、痛みを伴う自己採血型血糖測定器を所有し習慣的に測定しようとはしないものである。
【０００５】
そこで、近年、被験者の血糖値を非侵襲的に測定する装置が提案されている。例えばＡＴＲ（減衰全反射）プリズムを用い、入射光がプリズムの反射面と生体との境界で減衰全反射を繰り返しその後プリズム外部に出射された光を分析する方法として、ＡＴＲプリズムを口あるいは指に挟んで測定する方法が提案されている（例えば、特許文献１を参照）。
【０００６】
この方法は、エバネッセント波（いわゆる浸みだし光）を定量分析に応用したものである。図１３に示すように光ファイバー５４に伝搬されＡＴＲプリズム５１を進行する光５３はわずかに口唇５２に侵入したのち反射する。従って光５３は口唇５２に侵入しそこに存在する体液中の各成分の影響を受けるため、反射光の光量を測定することで体液の反射率、吸収率などの変化を検出することができ体液中の各成分の情報を得ることが可能になるものである。
【０００７】
【特許文献１】
特開平９−１１３４３９号公報
【０００８】
【発明が解決しようとする課題】
しかしながら上記のような従来の測定装置は、以下のような課題を有していた。
【０００９】
今、一例として、光の波長が１０ミクロン、ＡＴＲプリズム５１としてＺｎＳｅ結晶（屈折率：約２．０）を用い、入射角度が４５度、まわりの媒体を水（屈折率：約１．２４）とした場合について公知の公式で浸みだし深さを計算すると、４．７ミクロンとなることがわかる。また周りの屈折率が変われば浸みだし深さも変わるがいずれにしてもせいぜい数ミクロンである。
【００１０】
すなわち、生体表面とその近傍の状態に関する情報が得られていることがわかるが、しかしながらこの場合、生体の数ミクロン以上の深部情報が得られにくいとともに、特に、被検体との間に唾液等の外乱層が存在すると、光が生体に届かないあるいは生体に侵入する深さが変化するなど信号が不安定となる。
【００１１】
従って上記従来例のようにＡＴＲプリズム５１を口唇に挟んで押し当てる場合、口唇を閉じる力加減によって密着度合いが変化し、プリズムの表面と口唇との密着は安定せず唾液による影響を大きく受けることになる。
【００１２】
また、測定条件、特に口唇など生体の被測定部位とプリズムとの相対的な位置関係を一定にする必要がある。図１４は口唇を測定したスペクトル例を示すが、口唇先端、口唇略中央、口唇奥など測定部位によってスペクトル形状が大きく異なり、含まれている情報が同じものとして分析するにはバラツキが大きすぎる。
【００１３】
さらに図１５（ａ）は水を測定したスペクトル例を示し、図１６はこのスペクトルの一部を拡大したものを示すが、例えばＡＴＲプリズム５１のセンシング部に部分的に水と空気がある場合図１５（ｂ）、（ｃ）、とＡＴＲプリズム５１のセンシング部全面に水がある場合図１５（ｄ）とでは、スペクトル形状が変化している。すなわち、介在する空気の層もバラツキ要因となるものである。
【００１４】
また、図１７は口唇５２を測定したスペクトルの一部拡大例を示すもので、ＡＴＲプリズムに密着させるためにバネなどの弾性体を組み込んだクリップ状の押圧部材を用いて、口唇５２とＡＴＲプリズム５１を密着させたまま連続的に３回測定したものである。１回目から３回目にかけてスペクトルが変動しており、唾液層の厚みが変化しているといえる。この唾液層の変化は、柔らかい口唇５２を弾性力のみで押圧するために、押圧力が徐々に変化していることから起こっている現象であり、これがバラツキ要因となるものである。
【００１５】
従って上記従来例のようにＡＴＲプリズム５１を口唇５２に挟んで押し当てる場合、口唇５２を閉じる力加減によって密着度合いが変化し、ＡＴＲプリズム５１の表面と口唇５２との密着は安定せず、唾液層の厚み制御が困難であり、また空気層の介在などによる影響が加わることで測定データにバラツキが生じやすい。
【００１６】
また例えば唾液層を拭き取ったとしても口唇粘膜には微小な凹凸面があり、密着が不充分であると空気層が介在することになる。
【００１７】
また、光を光ファイバー５４で伝達した場合、伝搬損失が大きく不安定な信号がさらに影響を受けることになり、測定データにバラツキが生じやすい。
【００１８】
本発明はこのような点に鑑みて、プリズムと被測定部位の密着性、位置再現性を簡単に行い高精度の測定が可能な生体情報検出用接触装置等を提供することを目的とする。
【００１９】
【課題を解決するための手段】
上記の目的を達成するために、第１の本発明は、被検体の測定部位に当接する当接面を有する第１の当接手段と、
前記当接面が前記測定部位上を移動しないよう固定する固定手段とを備え、
前記当接面は、光を前記測定部位へ出射する出射領域と、前記出射領域から出射された光に基づく前記測定部位からの透過光、反射光、散乱光または透過反射光の全部または一部を入射する入射領域とを有する生体情報検出用接触装置である。
【００２０】
また、第２の本発明は、前記測定部位が前記当接面と当接できるように、前記被検体の少なくとも一部を変形させる変形手段を備えた第１の本発明の生体情報検出用接触装置である。
【００２１】
また、第３の本発明は、前記被検体は生体の口唇部であり、前記測定部位は前記口唇部の口唇粘膜であって、
前記変形手段は、前記口唇粘膜を外部へ露出させるように前記口唇部を変形する第２の本発明の生体情報検出用接触装置である。
【００２２】
また、第４の本発明は、前記変形手段は、前記生体の口腔内で保持され、歯外で歯肉から下唇小帯に向かう押し開き手段を有する第３の本発明の生体情報検出用接触装置である。
【００２３】
また、第５の本発明は、前記固定手段は、前記生体の口腔内で上下歯によって咬合される装着部を備え、
前記第１の当接手段は歯列外に配置され、前記装着部が前記上下歯によって咬合されることによって、前記当接面が前記口唇粘膜に密着させられる第２の本発明の生体情報検出用接触装置である。
【００２４】
また、第６の本発明は、前記変形手段は、少なくとも１箇所で前記口唇部を挟持する挟持手段を有する第３の本発明の生体情報検出用接触装置である。
【００２５】
また、第７の本発明は、前記挟持手段は、おとがい唇溝またはおとがい唇溝より下部を支点として回動するよう構成された第６の本発明の生体情報検出用接触装置。
【００２６】
また、第８の本発明は、前記固定手段は、前記第１の当接手段を保持し、前記挟持手段が回動したときそれに連動して移動し、前記当接面を前記口唇部に当接させる保持手段を有する第７の本発明の生体情報検出用接触装置である。
【００２７】
また、第９の本発明は、前記被検体は生体であり、
前記固定手段は前記生体の歯列、顎、または頭部の少なくとも一つで支持されることにより前記固定を行う第１の本発明の生体情報検出用接触装置である。
【００２８】
また、第１０の本発明は、前記測定部位を挟んで前記第１の当接手段と対向し、前記被検体の前記測定部位とは異なる部位に当接する第２の当接手段をさらに備え、
前記固定手段は、前記第１の当接手段と前記第２の当接手段との間を一定の距離に保つよう固定する第１の本発明の生体情報検出用接触装置である。
【００２９】
また、第１１の本発明は、前記距離固定手段は、前記一定の距離を互いに異なる複数の大きさに設定可能な第１０の本発明の生体情報検出用接触装置である。
【００３０】
また、第１２の本発明は、前記当接面の面積は、前記第２の当接手段が当接する部分の面積より小さい第１０の本発明の生体情報検出用接触装置である。
【００３１】
また、第１３の本発明は、前記第２の当接手段は、実質上凸型の形状を有する第１０の本発明の生体情報検出用接触装置である。
【００３２】
また、第１４の本発明は、前記凸型は、丸みを有したものである第１３の本発明の生体情報検出用接触装置である。
【００３３】
また、第１５の本発明は、前記第１の当接手段および／または前記第２の当接手段による前記測定部位への印圧を測定する印圧測定手段を備えた第１０の本発明の生体情報検出用接触装置である。
【００３４】
また、第１６の本発明は、前記距離固定手段は、前記測定された印圧に基づき、前記一定の距離を変更する第１５の本発明の生体情報検出用接触装置である。
【００３５】
また、第１７の本発明は、第１から第１６のいずれかの本発明の生体情報検出用接触装置と、
前記当接面の前記出射領域へ光を送る光源と、
前記当接面の前記入射領域からの光を受光する受光手段と、
前記受光手段の受光結果を演算し、前記測定部位に関する情報を取得する演算手段とを備えた生体情報測定装置である。
【００３６】
また、第１８の本発明は、前記変形手段により変形した箇所を確認する確認手段をさらに備えた第１７の本発明の生体情報測定装置である。
【００３７】
また、第１９の本発明は、前記確認手段は、接触センサーによる接触確認である第１８の本発明の生体情報測定装置である。
【００３８】
また、第２０の本発明は、前記接触確認が、前記押し開き手段の端部を利用している第１８の本発明の生体情報測定装置である。
【００３９】
また、第２１の本発明は、前記光源からの光を分光する分光手段と、
前記分光手段からの光を前記出射領域へ導く導光手段と、
前記光源、前記分光手段、前記導光手段、前記受光手段および前記生体情報検出用接触装置とを一体的に保持する保持体とを備えた第１７の本発明の生体情報測定装置である。
【００４０】
また、第２２の本発明は、前記導光手段は鏡を利用した手段である第２１の本発明の生体情報測定装置である。
【００４１】
また、第２３の本発明は、前記保持体には位置規制部材が取り付けられており、この位置規制部材を利用して、前記情報検出用接触装置の位置が規制される第２２の本発明の生体情報測定装置である。
【００４２】
また、第２４の本発明は、光を被検体の測定部位へ出射する出射領域と、前記出射領域から出射された光に基づく前記測定部位からの透過光、反射光、散乱光または透過反射光の全部または一部を入射する入射領域とを有する当接面を、前記測定部位に当接する工程と、
前記当接面が前記測定部位上を移動しないよう固定する工程とを備え、
前記入射領域から得られた光に基づき、前記測定部位中の特定成分を非侵襲的に測定する生体情報測定方法である。
【００４３】
また、第２５の本発明は、前記測定部位が前記当接面と当接できるように、前記被検体の少なくとも一部を変形させる工程をさらに備えた第２４の本発明の生体情報検出方法である。
【００４４】
また、第２６の本発明は、測定部位に当接する情報検出用接触子により光を照射するとともにこの測定部位からの透過光もしくは反射光もしくは散乱光もしくは透過反射光を検出し、測定部位中の特定成分を非侵襲的に測定する生体情報測定方法であって、
測定部位である生体口唇部の口唇粘膜を露出させたあと、この口唇粘膜に前記情報検出用接触子を密着させる生体情報測定方法である。
【００４５】
また、第２７の本発明は、前記口唇粘膜の露出を、口唇前面に当接させた接触部材を顎方向へ移動させることによって行う第２６の本発明の生体情報測定方法である。
【００４６】
なお、本発明に関連する方法発明としては、測定部位に当接する情報検出用接触子により光を照射するとともにこの測定部位からの透過光、反射光、散乱光もしくは透過反射光を検出し、測定部位中の特定成分を非侵襲的に測定する生体情報測定方法であって、
光源からの光を分光し、分光された光を前記情報検出用接触子へ導き、前記測定部位からの透過光、反射光、散乱光もしくは透過反射光を検出し、検出された信号について演算を行い生体情報を得る際に、
少なくとも前記情報検出用接触子の位置調節を行う生体情報測定方法がある。
【００４７】
【発明の実施の形態】
以下、本発明の実施の形態について、図を用いて説明する。
【００４８】
（実施の形態１）
図１（ａ）、（ｂ）は、本発明の実施の形態１の生体情報測定装置の使用イメージ断面図であり、図１（ｃ）は使用イメージ正面図、図１（ｄ）は使用イメージ概略図であり、図３（ａ）は部分正面断面図、３（ｂ）は拡大図である。
【００４９】
図１（ａ）〜（ｄ）において、１はマウスピース型生体情報測定装置であり、下切歯１０に沿って装着される位置決め凹部２を有した装着部３と、下側口唇１１に当接する測定部４からなる。測定部４にはプリズム５が、その当接面５ａにて下側口唇１１に当接するよう内蔵されており、発光素子６から出た光は、矢印のようにプリズム５内を進行し被検体である下側口唇１１へ、当接面５ａ上の出射領域５００ａを介して浸みだす。浸みだした後の透過光、反射光、散乱光または透過反射光は、当接面５ａ上の入射領域５００ｂを介してプリズム５内をさらに進行して受光素子７に検出されるものである。なお、測定される光は透過光、反射光、散乱光または透過反射光のうちその全部を含んでもよいし、一部であってもよい。
【００５０】
この発光素子６への伝達、受光素子７からの伝達などこれら測定部４の電気的駆動手段については図示は省略する。また、情報検出用接触子としてファイバーを用いる構成であってもよい。また、測定部４の下側口唇１１が当接する側には、下側口唇１１を押し開くための押し開き用突起８ａが形成されている。
【００５１】
以上のような構成を有する本実施の形態によるマウスピース型生体情報測定装置１の動作は次のようなものである。前記マウスピース型生体情報測定装置１の装着部３に設けた位置決め凹部２を下切歯１０に装着する。その際歯肉１２側の押し開き用突起８ａを下切歯１０側に軽く押し付けながら、この押し開き用突起８ａが下側口唇１１と下側歯肉１２の間に必ず介在するように装着する。
【００５２】
この状態ではまだ下側口唇１１の弾力で、前記マウスピース型生体情報測定装置１の位置決め凹部２は下切歯１０から浮いた状態にある。
【００５３】
そしてこのまま上切歯１３で装着部３を押えると、この装着部３に設けた位置決め凹部２が下切歯１０に当接し、押し開き用突起８ａは下唇小帯９（下側口唇と歯肉をつなぐ腱）まで下がることで下側口唇１１を押し開いていき、通常歯肉１２側に接している口唇粘膜１１ａを口腔外に露出させる状態になるよう、下側口唇１１を変形させる。そのとき装着部３を上切歯１３によって押圧保持した状態となるため、測定部４は下側口唇１１に密着することになる。
【００５４】
すなわち、測定部４に内蔵したプリズム５が下側口唇１１の口唇粘膜１１ａに確実に密着される。
【００５５】
そしてマウスピース型で、上下歯の咬合によってプリズム５の位置が口唇粘膜１１ａ上を動かないよう規制しているため、利用者が同一人物であれば被測定部位である口唇粘膜への測定位置の再現が簡単かつ確実に行える。
【００５６】
なお、歯肉１２側の前記押し開き用突起８ａに接触センサーを設け、下唇小帯９に接触することで歯肉１２側の口唇粘膜１１ａが正しく露出されたか確認する構造とすれば、さらに位置再現が確実に行えるものである。
【００５７】
これら接触センサーによる接触確認は、超小型ＣＣＤカメラなどによる画像確認であってもよい。
【００５８】
また、本実施の形態ではマウスピース形状を下切歯１０に装着する構造としたが、下歯列全域に装着するマウスピース形状であってもよい。要は歯列を位置決め手段とし、咬合によって口唇を押し開いて口唇粘膜を露出させ、且つ測定部４を密着させるものでありさえすればよい。
【００５９】
（実施の形態２）
図２（ａ）、（ｂ）は、本発明の実施の形態２の生体情報測定装置の使用イメージ断面図である。図３は部分正面断面図であり、（ａ）は部分正面断面図、３（ｂ）は拡大図であり、図４は実施の形態２の生体情報測定装置の部分外観図である。
【００６０】
図２（ａ）、（ｂ）、図４において２１は生体情報測定装置であり、下側口唇１１を挟持するクリップ部２２、下側口唇１１に当接する測定部２３、顎３８をのせる位置決め台２４、片手で保持する握り部２５からなる。
【００６１】
クリップ部２２は弾性部材２６と手指つまみ側２７、口唇挟持側２８からなっている。このクリップ部２２の下側には、Ｌ字状部材３９が取り付けられており、そのＬ字状部材３９の先端部は、位置決め台２４に設けられた基準軸２９の基準ピン３０に回動自在に装着され、Ｌ字状部材３９の屈曲部には移動ピン３１が固定されている。
【００６２】
基準ピン３０はおとがい唇溝３２付近あるいはおとがい唇溝３２より下方になるよう位置する。また、移動ピン３１にはスライド板３３が回動自在に吊り下げされている。さらに、このスライド板３３の中央に形成されているスライド長孔３４が前記位置決め台２４の案内ピン３５に嵌合されている。
【００６３】
また、このような、Ｌ字状部材３９を有するクリップ部２２と、スライド板３３が、測定部２３の向こう側にも（図４には一部が描かれている）配置されている。
【００６４】
そして、前記移動ピン３１によって、図４に示すように各Ｌ字状部材３９は連結されている。さらに、この移動ピン３１には保持部２３ａが固定され、この保持部２３ａの上端に前記測定部２３が保持されている。
【００６５】
測定部２３には、図３（ａ）に示すように当接面５ａを有するプリズム５、発光素子６、受光素子７が内蔵されている。実施の形態１と同様、発光素子６から出た光は、矢印のようにプリズム５内を進行し被検体である下側口唇１１へ、当接面５ａ上の出射領域５００ａを介して浸みだす。浸みだした後の透過光、反射光、散乱光または透過反射光は、当接面５ａ上の入射領域５００ｂを介してプリズム５内をさらに進行して受光素子７に検出されるものである。なお、測定される光は透過光、反射光、散乱光または透過反射光のうちその全部を含んでもよいし、一部であってもよい。
【００６６】
この発光素子６への伝達、受光素子７からの伝達など、これら測定部４の電気的駆動手段については図示は省略する。また、情報検出用接触子としてファイバーを用いる構成であってもよい。
【００６７】
以上のような構成を有する本実施の形態による生体情報測定装置２１の動作は次のようなものである。
【００６８】
クリップ部２２の手指つまみ側２７をつまんで口唇挟持側２８を開け、下側口唇１１を挟みこんで手指つまみ側２７を離すと、図２（ａ）に示すように、下側唇１１はクリップ部２７によって狭持された状態になる。その際測定部２３は下側口唇１１に接触していない。
【００６９】
次にスライド板３３を案内ピン３５に沿って下方に移動させることにより、前記スライド板３３に固定されたクリップ部２２は位置決め台２４の基準ピン３０を中心に回動し下方に下がる。そうするとこのクリップ部２２に挟持された下側口唇１１はクリップ部２２とともに下方に引っ張られるように変形し、通常歯肉１２側に接している口唇粘膜１１ａを口腔外に露出させる状態になる。
【００７０】
そのとき同時に、Ｌ字状部材３９によってクリップ部２７と連結された測定部２３が、クリップ部２７の回動と連動して下方に下がる。これにより、プリズム５の当接面５ａが下側口唇１１の口唇粘膜１１ａに確実に密着して当接するものである。
【００７１】
なお、前記スライド板３３の移動方法は、手動であってもモータなどを組み合わせた自動であってもよい。図示しないストッパーによりスライド板３３はこの状態で固定保持され、測定が終了すればストッパーから自動あるいは手動で外れるものである。
【００７２】
このように、本実施の形態によれば、位置決め台２４と基準軸２９によって顎位置を規制しているため、測定部２３，クリップ部２２および下側口唇１１の三者の位置は、利用者が同一人物であれば常に同じ位置関係となり、測定部２３により測定される下側口唇１１の測定位置の位置再現性が非常に簡単、かつ確実に行えるものである。
【００７３】
なお、以上の実施の形態において、プリズム５は本発明の第１の当接手段に相当し、当接面５ａは本発明の当接面に相当し、出射領域５００ａは本発明の出射領域に、入射領域５００ｂは本発明の入射領域に相当する。装着部３および測定部４、または測定部２３、位置決め台２４，スライド板３３，移動ピン３１，基準ピン３０，案内ピン３５は本発明の固定手段に相当し、クリップ部２２は本発明の狭持手段に相当する。また口唇粘膜１１ａは本発明の被検体の測定部位に相当する。また、押し開き用突起８ａは本発明の押し開き手段に相当する。
【００７４】
また、上記の説明では、マウスピース型生体情報測定装置１の測定部４は、発光素子６および受光素子７を内蔵するものとして説明を行ったが、発光素子６および受光素子７は外部に配置し、光ファイバ等で光を伝達するようにしてもよい。この場合、マウスピース型生体情報測定装置１は本発明の生体情報検出用接触装置に対応することとなり、生体情報検出用接触装置をディスポーザブルな構成とできるので、衛生上も安全である。
【００７５】
なお、図示しないが、測定部２３が密着する際に、下側口唇１１の下面からこの測定部２３を挟むように押当てる押当手段を設ければさらに一層密着度が増すものである。
【００７６】
また、この押当手段に圧力センサーを設ければ下側口唇１１に密着する測定部２３の圧力を確認することができ、自動的に圧力一定に密着させることができるものである。
【００７７】
なお、上記実施の形態では、クリップ部２２の構造は、口唇中央位置をあけた形の、両側２ヶ所を挟む構造であったが、クリップ部２２が下側口唇１１の中央付近を１ヵ所だけ挟む構造であってもよい。また、３カ所以上挟む構造としてもよい。要するに、口唇や頬を挟んで引っ張ることにより口唇粘膜を露出させることができる構造であればよい。
【００７８】
また、握り部２５は図示しないが測定用駆動回路、データ記憶回路などを内蔵しており、握り部２５表面に測定開始用、ストッパー駆動用などのスイッチ３６および表示パネル３７が設けられ、計測した測定データが表示されるものである。
【００７９】
ただし、測定用駆動回路、データ記憶回路および表示パネルは、握り部２５に内蔵せず外部に設けて、握り部２５は単なる把持用の機具として用いてもよい。この場合、生体情報測定装置２１は本発明の生体情報検出用接触装置に対応することになる。
【００８０】
また、本実施の形態２では測定部２３を上方から下方に直線移動させる構成としたが、斜め方向から扇形回動して当接する構成であってもよく、要は下側口唇１１を引っ張ったあと、測定部２３が口唇粘膜１１ａに当接し押し当てられるようにすればよい。
【００８１】
また、位置決めは顎規制以外にヘッドホンのような頭部規制、または実施の形態１のような歯列規制であってもよく、要は同一人による被測定部位への位置再現性が簡単確実に行え且つ被測定部位への密着が確実に行えることにある。
【００８２】
さらに、図５（ａ），（ｂ）は、本発明の他の実施の形態であり、口唇を挟持せず、上側口唇よりやや突き出すようにした下側口唇１１前面に例えば接触部材として薄板４１を口唇から滑らないよう押し当て密着させ、そのままこの薄板を矢印のように顎方向に移動させることによって、薄板４１に密着した下側口唇１１が同様に顎方向に引っ張られ、歯肉から口唇粘膜１１ａを露出させるものである。
【００８３】
また、本実施の形態では下側口唇を測定部位として説明したが、上側口唇の口唇粘膜を測定部位として測定しても一向に構わない。その場合は、実施の形態１，２とも本装置を逆さまにして扱えばよく、本発明の変形手段は上側口唇を変形志手、外部へ露出させることになる。本発明の要旨は通常隠れている歯肉側の口唇粘膜等の体組織を確実に露出させ、そこに当接手段を当接、密着させて測定することとその測定位置再現性を確実に行うことにある。
【００８４】
（実施の形態３）
図６は、本発明の実施の形態３の生体情報測定装置の使用イメージ図、図７（ａ）（ｂ）は該生体情報測定装置の部分詳細図、図９は、生体口唇を測定したスペクトル例である。
【００８５】
図６、図７（ａ）（ｂ）において、６１は卓上型生体情報測定装置であり、下側口唇６２の口唇粘膜６３に当接するプリズム６４を先端に有した測定部５と、図示しないが、光源と、この光源からの光をプリズム６４に入射し当接する被検体である口唇粘膜３内へ浸みだした後プリズム６４内をさらに進行する導光手段と、この光を受光する検出器を内蔵している。
【００８６】
さらに図８にプリズム６４近傍の拡大正面図を示す。プリズム６４には、導光手段によって導かれた光源からの光を入射する入射端８１と、口唇粘膜６３へしみ出した後の透過光、反射光、散乱光または透過反射光が出射される出射端８２と、口唇粘膜３と直接接触する当接面６４ａとが形成されており、光ファイバー８１ａ、８２ａが入射端８１、出射端８２にそれぞれ接続され、光ファイバー８１ａの他端は図示しない光源に、光ファイバー８２ａの他端は図示しない検出器に接続されている。
【００８７】
なお、導光手段は光ファイバーでなく、複数の鏡面を用いた光学系による導光であっても当然よいものである。
【００８８】
またプリズム６４が被検体である口唇粘膜６３と当接しセンシングする当接部６４ａは、センシング面積が口唇面の半分以下の小型で前記測定部６５の面より突出した構成となっており、入射端８１から入射され、プリズム６４を経由してきた光が口唇粘膜３へ出射する出射領域８３と、出射領域８３から出射された光が、口唇粘膜へしみ出した後の透過光、反射光、散乱光または透過反射光を入射する入射領域８４とが含まれている。なお、測定される光は透過光、反射光、散乱光または透過反射光のうちその全部を含んでもよいし、一部であってもよい。
【００８９】
また卓上型生体情報測定装置６１内部には、図示しないが演算回路が内蔵されており、前記測定部６５からのデータを受けて処理し前面あるいは後面に設けた表示部６６に表示する構成となっている。
【００９０】
また測定部６５には、口唇を下から支える口唇支持部６７を一端に有し他端に移動用の歯車ラック６８を有した補助腕６９が摺動可能に取り付けられている。また測定部６５には、この補助腕６９の歯車ラック６８と噛合する歯車面を有した位置決めレバー６１０が取り付けられており、この位置決めレバー６１０にはストッパー６１１と切欠き６１０ａによるレバー固定手段が設けられている。
【００９１】
位置決めレバー６１０は、例えば手で回動させる手動であってもよいし、モーターや歯車機構など既存の技術で動作させる自動であってもよく、要は摺動後ストッパー６１１と切欠き６１０ａによって位置決め固定される構成であればよい。また、レバー固定手段はストッパー６１１と切欠き１０ａ以外の他の既存の技術であってもよい。
【００９２】
この位置決めレバー６１０が固定されたとき測定開始ボタンが作動できる構成であってもよいし、位置決めレバー６１０が固定されたことを検出し自動的に測定が開始される構成であってもよい。
【００９３】
この位置決めレバー回動による補助腕６９の移動距離は、被検体となる人間により個人差があり被検体毎にそれぞれ異なるので、以下のように定める。まず、測定対象とする人間の口唇の厚みを前もっと測定しておく。次いで、プリズム６４の当接部６４ａと口唇支持部６７の間隔を、得られた厚みよりもよりさらに狭い間隔となるように定める。例えば、測定した口唇の厚みよりも２ｍｍ小さくなるように設定する。設定した位置にストッパー６１１を設定し、位置決めレバー６１０がそれ以上回動しないようにする。
【００９４】
口唇支持部６７は当接部６４ａの面積より同等以上の大きさとし、わずかな丸みを持った凸面とする。このときの凸面において中央部と端部の高低差は０．５ｍｍ以下とする。
【００９５】
以上のような構成を有する本実施の形態３による卓上型生体情報測定装置６１の動作を説明すると共に、これにより本発明の生体情報測定方法の一実施の形態を説明する。
【００９６】
口唇６２を測定部６５と補助腕６９の間に挿入し口唇粘膜６３をプリズム６４に接触させ、位置決めレバー６１０を回動させると口唇支持部６７が口唇６２に当接する。さらにストッパー６１１で規制されるまで位置決めレバー６１０を回動させることで口唇支持部６７が移動し、口唇６２はプリズムに押し当てられ口唇粘膜６３はセンシング面である当接部６４ａに密着する。このとき口唇支持部６７とプリズム４の当接部６４ａとの間隔は、口唇の厚みより２ｍｍ狭く設定されていることから口唇は印圧、圧迫され口唇自体の弾力で当接部６４ａに密着することになる。また当接部６４ａの面積が口唇面より小型であるため、押し当て面にかかる力が集中することになり密着度が増すものである。
【００９７】
このとき、口唇支持部６７は当接部６４ａの面積より同等以上の大きさであるから当接部６４ａに接する口唇粘膜６３を確実に当接部６４ａ全部に押し当てることができる。また圧迫されることで口唇６２自体の微細な凹凸がなくなり、空気層の介在が抑制されるものである。
【００９８】
また、特に図８に拡大して示すように、圧迫密着している面積が小さくかつわずかな丸み６７ａを帯びているため口唇粘膜３上の唾液が、当接部６４ａの中心からこの当接部６４ａと口唇支持部６７で圧迫されていない周囲に逃げやすくなり、密着している口唇粘膜６部での唾液層のバラツキは非常に小さいものとなる。
【００９９】
補助腕６９の移動距離は口唇厚みより小さくするがその寸法は０．５ｍｍ以上５ｍｍ未満の範囲であればよく、被測定者の口唇の弾力、口唇の厚みなどによって適量を初期に設定するものである。
【０１００】
また毎測定時、口唇厚み位置で一旦位置決めレバー位置をゼロ位置と記憶しゼロ設定後自動的に例えば２ｍｍ摺動する構成であってもよい。
【０１０１】
また、本実施の形態では口唇支持部６７を移動させる構成としたが、プリズム６４を移動させて押し当てる構成であってもよく、要は口唇支持部６７あるいはプリズム６４の移動によって、口唇支持部６７とプリズム６４の当接部６４ａが口唇６２に食い込むまで押し当てられ、口唇粘膜６３と当接部６４ａが密着するものである。このとき口唇支持部６７は口唇６２に食い込まなくてもよい。少なくとも当接部６４ａが口唇６２に食い込む程度の印圧であってもよい。
【０１０２】
そして装置６１の操作スイッチがＯＮされると、前述したように内部の光源から導光手段、プリズム６４を介して光が、当接部６４ａの出射領域８３から口唇粘膜６３内に侵入し、口唇粘膜６３にてしみ出した後の透過光、反射光、散乱光または透過反射光が入射領域８４から入射され、出射端８２を介してさらに検出器に受光され、演算回路によって得られた血糖値データが装置６１の表示部６６に表示されるものである。またこのデータは図示しないが記憶回路に保存され、随時過去のデータを任意に取り出すことができるものである。
【０１０３】
位置決めレバー６１０はストッパー６１１で固定保持され、固定された状態のみ測定が作動するため、押し当て途中の不安定な密着での測定がなく、安定した押し当て再現性が得られるものである。
【０１０４】
また口唇支持部６７を有する補助腕６９の移動距離を設定しておき移動後は固定するという簡単な構成で、ワンタッチで口唇粘膜６３への密着が簡単確実に行えるものである。
【０１０５】
また、本実施の形態では生体情報測定装置を卓上型としたが携帯型であってもよい。また、口唇支持部６７の内部に、本発明の印圧測定手段に相当する圧力センサを組み込み、押し当て時の印圧力を読み取る構成としてもよい。これにより、前もって被験者の口唇の厚みを測定する必要がなく、定量的に口唇支持部６７とプリズム６４との距離を判断し、被験者の口唇粘膜６３への密着が凹む程度の適切な印圧を行うことができる。
【０１０６】
さらに、圧力センサの圧力に基づき動作する動力機構を設け、位置決めレバー６１０の回動の大きさを適切に制御するようにしてよい。
【０１０７】
図９は本実施の形態によって口唇を測定したスペクトルの一部拡大例を示すもので、従来例で示した図１７と同様に口唇とプリズムを密着させたまま連続的に３回測定したものである。１回目から３回目にかけてほぼ同一形状のスペクトルが得られた。
【０１０８】
すなわち、本発明を用いて測定した場合、バラツキが非常に小さくなり測定再現性が高くなっているといえる。
【０１０９】
なお、以上の実施の形態において、プリズム６４は本発明の第１の当接手段に相当し、当接部６４ａは本発明の当接面に相当し、出射領域８３は本発明の出射領域に、入射領域８４は本発明の入射領域に相当する。口唇支持部６７は本発明の第２の当接手段に相当し、補助腕６９，位置決めレバー６１０，ストッパー６１１は本発明の距離固定手段に相当する。また口唇粘膜６３は本発明の被検体の測定部位に相当する。また、演算回路は本発明の演算手段に相当し、また、本発明の生体情報検出用接触装置は、プリズム６４，口唇支持部６７，ストッパー６１１および位置決めレバー６１０により構成されるものに対応する。
【０１１０】
また、上記の説明において、口唇支持部６７は丸み６７ａを有するとしたが、これは口唇に傷を付けないようにためであって、他の部位を測定する場合は、特に丸みを設けず、角を有した凸部としてもよい。
【０１１１】
また、上記の説明では、卓上型生体情報測定装置６１と、プリズム６４，口唇支持部６７，ストッパー６１１および位置決めレバー６１０とは一体化しているものとして説明を行ったが、本発明の生体情報検出用接触装置は、プリズム６４，口唇支持部６７，ストッパー６１１および位置決めレバー６１０のみで実施できるので、演算回路、光源等を含む本体部とは分離した構成として実施してもよい。この場合、生体情報検出用接触装置をディスポーザブルな構成とできるので、衛生上も安全である。
【０１１２】
また、上記の説明では血糖値データを測定するものとして説明を行ったが、本発明の特定成分は、他に脂質、タンパク質等のデータであってもよい。また、口唇の他、口内など、粘膜を分泌する部分の測定に用いてもよい。これらは実施の形態１、２においても同様である。
【０１１３】
（実施の形態４）
図１０（ａ）は、本発明の実施の形態４の生体情報測定装置の側断面図、図１０（ｂ）は該生体情報測定装置の正面図であり、図１１は該生体情報測定装置の部分詳細図、図１２は使用イメージ図である。
【０１１４】
図１０〜図１３において、１０１は卓上型生体情報測定装置であり、下側口唇１０１４の口唇粘膜１０１５に当接するプリズム１０４を先端に有した測定部２が、受け台３に内蔵されている。なお、プリズム１０４の細部の構成は、実施の形態１〜３と同様なので、説明を省略する。
【０１１５】
測定部１０２の内部には、光源１０５と、この光源１０５からの光を導入し分光する干渉計１０６と、導光鏡１０７、検出鏡１０８、検出器１０９が配置されている。
【０１１６】
この干渉計１０６の内部は図示しないがビームスプリッター、固定鏡、移動鏡とで構成されている。光はビームスプリッターに入射し２つの光束に分けられ、それぞれ固定鏡、移動鏡で反射されビームスプリッターに戻され、その際、同位相であると強め合い、異位相であると弱め合う干渉現象を起こすものであり、この光路差による位相差を生じた強弱の光が出射され、導光鏡１０７によって先端のプリズム１０４に導かれ、当接する被検体である口唇粘膜１０１５内へ浸みだした後プリズム４内をさらに進行して、検出鏡１０８によって検出器１０９に受光されるものである。
【０１１７】
すなわち、鏡を介して光を全て直接授受するため、光ファイバー伝達のような伝搬損失が生じず、安定した信号が得られるものである。なお、この干渉計６は本発明の分光手段の一例であるが、他の例としては、回折により分光するグレーディング方式の分光計、特定の波長を限定する干渉フィルター方式の分光計でも構わない。
【０１１８】
またこのように、測定部１０２が、本発明の保持体を形成し、その内部に、光源１０５、干渉計１０６、導光鏡１０７、プリズム１０４、検出鏡１０８、検出器１０９から成る光学系をすべて一体的に保持することにより、常に光軸や光路長が一定であり、安定した信号が得られるものである。
【０１１９】
また測定部１０２にはこの測定部１０２自体を摺動移動させるための、移動手段としての移動レバー１０１０が固定されており、前記受け台３からこの移動レバー１０１０が摺動可能に突出している。
【０１２０】
この移動レバー１０１０の端部には、本発明の位置規制部材としての折畳み式の顎台１０１１が固定されており、図示しないが高さの調節が可能な構造となっている。この顎台１０１１によって位置を規制するため、利用者が同一人物であれば被測定部位である口唇粘膜１０１５への測定位置再現が簡単確実に行えるものである。
【０１２１】
摺動移動する手段は、例えば手で持ち上げてストッパーや切欠きなどにレバーを引っ掛けて固定する手動的な手段であってもよいし、モーターや歯車機構など既存の技術で動作させる自動的な手段であってもよい。
【０１２２】
また受け台１０３には演算回路１０１７が内蔵されており、回路ケーブル１８などで測定部１０２からのデータを受けて処理し前面に設けた表示部１０１２に表示する構成となっている。
【０１２３】
この演算回路１０１７は測定部１０２内に設けられていてもよい。
【０１２４】
以上のような構成を有する本実施の形態による卓上型生体情報測定装置１０１の動作は次のようなものである。
【０１２５】
移動レバー１０１０を持ち上げることで測定部１０２が斜め上方に摺動し、図示しないストッパーによりその位置で固定される。次に折畳んだ顎台１０１１を開いて固定する。そして顎台１０１１に顎１０１６をのせてプリズム１０４を、その当接面が密着するように下側口唇１０１４の口唇粘膜１０１５に当て、受け台１０３の操作スイッチ１０１３を押すと、前述したように測定部１０２内の光源１０５から干渉計１０６、プリズム１０４を介して光が口唇粘膜１０１５内に侵入しさらに検出器１０９に受光され、演算回路１０１７によって得られた血糖値データが受け台１０３の表示部１０１２に表示されるものである。
【０１２６】
またこのデータは図示しないが記憶回路に保存され、随時過去のデータを任意に取り出すことができるものである。
【０１２７】
このように、測定時のみ測定し易い位置体勢となるように測定部１０２を移動構造としたことで、テーブルや机に据え置く卓上型として邪魔にならない小型な装置ができるものであり、インテリア備品のように常時テーブルに載せておくことができる。そうすることで食後に限らず気付いたときにいつでも簡単に測定することができるものである。また痛みを伴う採血が不要のため、１日に何度でも気軽に測定することができるものである。
【０１２８】
また、本実施の形態では測定部１０２を斜め上方に移動させる構成としたが、真直方向に移動する構成であってもよく、要は下側口唇１０１４を当接測定する測定者の体勢が楽な位置体勢となるようにするものである。
【０１２９】
また、本実施の形態では測定部１０２を移動構造としたが、これを移動構造とせず受け台３に固定した形状であってもよく、本発明の要旨は、光路長が変化せず光軸も一定した光学系で、伝搬損失のない安定した信号を得ることにある。
【０１３０】
また、本実施の形態の卓上型生体情報測定装置の構成は、実施の形態１〜３の生体情報測定装置と組み合わせて実現してもよい。
【０１３１】
なお、上記の各実施の形態において、本発明の被検体である生体は人体であり、測定部位は口唇粘膜であるとして説明を行ったが、本発明は、少なくとも第１の当接手段が当接する必要がある部位であれば、口腔の内壁、歯茎、瞼や性器など、粘膜質の他の部位であってもよい。また、人体の任意の位置であってもよい。また、本発明の生体は人間に限らず、動物であってもよく、その体組織を本発明の測定部位としてもよい。
【０１３２】
【発明の効果】
以上のように、本発明によれば、測定部位への位置再現性が簡単に行え、高精度な測定が可能となるものである。
【図面の簡単な説明】
【図１】（ａ）本発明の実施の形態１の生体情報測定装置の使用イメージ断面図
（ｂ）本発明の実施の形態１の生体情報測定装置の使用イメージ断面図
（ｃ）本発明の実施の形態１の生体情報測定装置の使用イメージ正面図
（ｄ）本発明の実施の形態１の生体情報測定装置の使用イメージ概略図
【図２】（ａ）本発明の実施の形態２の生体情報測定装置の使用イメージ断面図
（ｂ）本発明の実施の形態２の生体情報測定装置の使用イメージ断面図
【図３】（ａ）本発明の実施の形態１，２の生体情報測定装置の部分正面断面図
（ｂ）その拡大図
【図４】本発明の実施の形態２の生体情報測定装置の部分外観図
【図５】（ａ）本発明の他の実施の形態の生体情報測定装置の使用イメージ断面図
（ｂ）本発明の他の実施の形態の生体情報測定装置の使用イメージ断面図
【図６】本発明の実施の形態３の生体情報測定装置の使用イメージ図
【図７】（ａ）本発明の実施の形態３の生体情報測定装置の部分詳細図
（ｂ）本発明の実施の形態３の生体情報測定装置の部分詳細図
【図８】本発明の実施の形態３の生体情報測定装置の一部拡大を示す図
【図９】生体口唇を測定したスペクトルの一部拡大を示す図
【図１０】（ａ）本発明の実施の形態４の生体情報測定装置の側断面図
（ｂ）本発明の実施の形態４の生体情報測定装置の正面図
【図１１】本発明の実施の形態４の生体情報測定装置の部分詳細図
【図１２】本発明の実施の形態４の生体情報測定装置の使用イメージ図
【図１３】従来例の生体情報測定装置の一例を示す概略図
【図１４】従来例の測定スペクトルを示すグラフ
【図１５】（ａ）従来例の、水を測定したスペクトルを示す図
（ｂ）従来例の、スペクトルに対応する水の状態を示す図
（ｃ）従来例の、スペクトルに対応する水の状態を示す図
（ｄ）従来例の、スペクトルに対応する水の状態を示す図
【図１６】従来例の、水を測定したスペクトルの一部拡大を示す図
【図１７】従来例の、生体口唇を測定したスペクトルの一部拡大を示す図
【符号の説明】
１  マウスピース型生体情報測定装置
３  装着部
４  測定部
９  下唇小帯
１０  下切歯
１１  下側口唇
１１ａ  口唇粘膜
１２  歯肉
６１  卓上型生体情報測定装置
６２  口唇
６４  プリズム
６５  測定部
６７  口唇支持部
６９  補助腕
６１０  位置決めレバー
６１１  ストッパー
１０１  卓上型生体情報測定装置
１０２  測定部
１０４  プリズム
１０５  光源
１０６  干渉計
１０７  導光鏡
１０８  検出鏡
１０９  検出器
【図１】
2004205484.tif 000003
【図２】
2004205484.tif 000004
【図３】
2004205484.tif 000005
【図４】
2004205484.tif 000006
【図５】
2004205484.tif 000007
【図６】
2004205484.tif 000008
【図７】
2004205484.tif 000009
【図８】
2004205484.tif 000010
【図９】
2004205484.tif 000011
【図１０】
2004205484.tif 000012
【図１１】
2004205484.tif 000013
【図１２】
2004205484.tif 000014
【図１３】
2004205484.tif 000015
【図１４】
2004205484.tif 000016
【図１５】
2004205484.tif 000017
【図１６】
2004205484.tif 000018
【図１７】
2004205484.tif 000019